(57)【特許請求の範囲】
【請求項１】
支持ベース部と、人が着座するシートクッションと、前記シートクッションの後端部に立設されたシートバックと、前記シートクッションに設けられ前記シートクッションに係る荷重を支持する支持脚と、前記支持脚の下部を保持する脚保持部材と、前記支持ベース部に備えられ前記シートクッション及び前記シートバックを前後方向に移動させるスライド機構と、前記シートクッションを前部が後部に対して上位になるように回動させて前記シートクッションの着座面と前記シートバックの前面とが対向する状態にするチップアップ機能を有する車両用シートにおいて、
前記支持脚は、
前記シートクッションの左右両側のそれぞれに設けられ、前記シートクッションが着座位置に設定された状態において、前記シートクッションの底部に対して上下方向に立設された状態となる立設部と、
前記シートクッションの左右両側のそれぞれに設けられた前記立設部の下端部に、左右方向において前記立設部を貫通して外側に突出するように連結された連結部材と、を有し、
前記立設部は、一端部が前記シートクッションのフレームに回動可能に連結され、
前記脚保持部材は、前記スライド機構の前記シートクッション及び前記シートバックと共に移動する部分に配設され、前記立設部に対して左右方向内側で前記連結部材を保持することを特徴とする車両用シート。
【請求項２】
請求項１に記載の車両用シートにおいて、
前記スライド機構は、車両用シートの左側側部と右側側部とに一つずつ配置され、
前記脚保持部材は、車両用シートの左右側部に配置された二つのスライド機構のうち少なくとも一つのスライド機構側に配設されていることを特徴とする車両用シート。
【請求項３】
請求項２に記載の車両用シートにおいて、
前記スライド機構は、ロアレールとアッパレールとを有するスライドレール装置で構成され、
前記脚保持部材は、前記アッパレール上に配設されていることを特徴とする車両用シート。
【請求項４】
請求項３に記載の車両用シートにおいて、
前記支持ベース部は、前記アッパレール上に配設され、前記シートクッション及び前記シートバックを保持するシートライザーを備え、
前記脚保持部材は、前記シートライザーに取り付けられることにより、前記アッパレール上に配設されていることを特徴とする車両用シート。
【請求項５】
請求項４に記載の車両用シートにおいて、
前記脚保持部材は、前記アッパレールの前端部と後端部との間に配置されていることを特徴とする車両用シート。
【請求項６】
請求項５に記載の車両用シートにおいて、
前記脚保持部材は下面が前記シートライザーを介して前記アッパレールの上面と対向するように配置され、前記脚保持部材の下面と前記シートライザーの一方の板面とが面で接触し、前記シートライザーの他方の板面と前記アッパレールの上面とが面で接触していることを特徴とする車両用シート。
【請求項７】
請求項６に記載の車両用シートにおいて、
前記脚保持部材は、車両用シートの左側側部に配置された前記スライドレール装置と、車両用シートの右側側部に配置された前記スライドレール装置とに、それぞれ一つずつ配設されたことを特徴とする車両用シート。
【請求項８】
請求項７に記載の車両用シートにおいて、
前記シートライザーは板状の部材で構成され、前記脚保持部材の下面と前記シートライザーの板面と前記アッパレールの上面とが平行に構成されていることを特徴とする車両用シート。
【請求項９】
支持ベース部と、人が着座するシートクッションと、前記シートクッションの後端部に立設されたシートバックと、前記シートクッションに設けられ前記シートクッションに係る荷重を支持する支持脚と、前記支持脚の下部を保持する脚保持部材と、前記支持ベース部に備えられ前記シートクッション及び前記シートバックを前後方向に移動させるスライド機構と、前記シートクッションを前部が後部に対して上位になるように回動させて前記シートクッションの着座面と前記シートバックの前面とが対向する状態にするチップアップ動作に連動して前記支持脚を回動させ前記シートクッションの底部に収納するリンク部材と、を有する車両用シートにおいて、
前記支持脚は、
前記シートクッションの左右両側のそれぞれに設けられ、前記シートクッションが着座位置に設定された状態において、前記シートクッションの底部に対して上下方向に立設された状態となる立設部と、
前記シートクッションの左右両側のそれぞれに設けられた前記立設部の下端部に、左右方向において前記立設部を貫通して外側に突出するように連結された連結部材と、を有し、
前記立設部は、一端部が前記シートクッションのフレームに回動可能に連結され、
前記リンク部材は、
一端部が前記立設部の他端部に対して左右方向外側で前記連結部材に連結されることにより前記立設部の他端部に連結されて、前記連結部材を回転軸として前記支持脚に対して回動可能に構成され、
他端部が前記支持ベース部に対して回動可能に連結されており、
前記脚保持部材は、前記スライド機構の前記シートクッション及び前記シートバックと共に移動する部分に配設され、前記立設部に対して左右方向内側で前記連結部材を保持することを特徴とする車両用シート。
【発明の詳細な説明】
【技術分野】
【０００１】
本発明は、車両に用いられる車両用シートに関する。
【背景技術】
【０００２】
特開２０１５−００９７３３号公報（特許文献１）には、シートバック及びシートバックに連結されたシートクッションを、車体フロアよりも低位置に形成された収納フロアに収納可能な車両用シートであって、車体フロアに設けられ、シートクッションの下方に配置されてシートバックの下端側が回動可能に連結される支持ベースと、上端側がシートクッションに取り付けられ、下端側が支持ベースに連結される支持脚と、支持ベースに取り付けられ、支持脚の下端側を着脱可能に保持する脚保持部材と、車両用シート内に取り付けられ、支持脚を脚保持部材に保持された状態でロック可能なロック装置と、を備えた車両用シートが記載されている（特許請求の範囲参照）。
【先行技術文献】
【特許文献】
【０００３】
【特許文献１】特開２０１５−００９７３３号公報
【発明の概要】
【発明が解決しようとする課題】
【０００４】
特許文献１の車両用シートでは、支持脚の下端側を着脱可能に保持する脚保持部材が、車両用シートの幅方向において、車両用シートの中央部に配置されている。このため、脚保持部材を取り付ける支持ベースが必要になる。シートクッションの前部が後部に対して上位に位置するように跳ね上げたチップアップ状態では、シートクッションを跳ね上げた後にできる空きスペース（着座状態のシートクッションが占有するスペース及び着座状態のシートクッションの下側のスペース）を荷物の収納スペースとして利用することが期待される。しかし、車両用シートの幅方向中央部に脚保持部材が配置される構造では、脚保持部材と支持ベースとがシートクッションを跳ね上げた後の空きスペースに配置されているため、この空きスペースを荷物の収納スペースとして有効に利用することができない。
【０００５】
本発明の目的は、シートクッションをチップアップした後にできる空きスペースを、荷物の収納スペースとして有効に利用することができる車両用シートを提供することにある。
【課題を解決するための手段】
【０００６】
上記目的を達成するために、本発明の車両用シートは、
支持ベース部と、人が着座するシートクッションと、前記シートクッションの後端部に立設されたシートバックと、前記シートクッションに設けられ前記シートクッションに係る荷重を支持する支持脚と、前記支持脚の下部を保持する脚保持部材と、前記支持ベース部に備えられ前記シートクッション及び前記シートバックを前後方向に移動させるスライド機構と、前記シートクッションを前部が後部に対して上位になるように回動させて前記シートクッションの着座面と前記シートバックの前面とが対向する状態にするチップアップ機能を有する車両用シートにおいて、
前記支持脚は、
前記シートクッションの左右両側のそれぞれに設けられ、前記シートクッションが着座位置に設定された状態において、前記シートクッションの底部に対して上下方向に立設された状態となる立設部と、
前記シートクッションの左右両側のそれぞれに設けられた前記立設部の下端部に、左右方向において前記立設部を貫通して外側に突出するように連結された連結部材と、を有し、
前記立設部は、一端部が前記シートクッションのフレームに回動可能に連結され、
前記脚保持部材は、前記スライド機構の前記シートクッション及び前記シートバックと共に移動する部分に配設され、前記立設部に対して左右方向内側で前記連結部材を保持する。
また、上記目的を達成するために、本発明の車両用シートは、
支持ベース部と、人が着座するシートクッションと、前記シートクッションの後端部に立設されたシートバックと、前記シートクッションに設けられ前記シートクッションに係る荷重を支持する支持脚と、前記支持脚の下部を保持する脚保持部材と、前記支持ベース部に備えられ前記シートクッション及び前記シートバックを前後方向に移動させるスライド機構と、前記シートクッションを前部が後部に対して上位になるように回動させて前記シートクッションの着座面と前記シートバックの前面とが対向する状態にするチップアップ動作に連動して前記支持脚を回動させ前記シートクッションの底部に収納するリンク部材と、を有する車両用シートにおいて、
前記支持脚は、
前記シートクッションの左右両側のそれぞれに設けられ、前記シートクッションが着座位置に設定された状態において、前記シートクッションの底部に対して上下方向に立設された状態となる立設部と、
前記シートクッションの左右両側のそれぞれに設けられた前記立設部の下端部に、左右方向において前記立設部を貫通して外側に突出するように連結された連結部材と、を有し、
前記立設部は、一端部が前記シートクッションのフレームに回動可能に連結され、
前記リンク部材は、
一端部が前記立設部の他端部に対して左右方向外側で前記連結部材に連結されることにより前記立設部の他端部に連結されて、前記連結部材を回転軸として前記支持脚に対して回動可能に構成され、
他端部が前記支持ベース部に対して回動可能に連結されており、
前記脚保持部材は、前記スライド機構の前記シートクッション及び前記シートバックと共に移動する部分に配設され、前記立設部に対して左右方向内側で前記連結部材を保持する。
【発明の効果】
【０００７】
本発明によれば、シートクッションをチップアップした後にできる空きスペースを、荷物の収納スペースとして有効に利用することができる車両用シートを提供することができる。
【図面の簡単な説明】
【０００８】
【図１】本発明の一実施例に係る車両用シート１について、着座位置にセットされた状態、チップアップした状態及びダイブダウンした状態を示す側面図である。
【図２】着座位置にセットされた車両用シート１について、フレームの構成を示す側面図である。
【図３】着座位置にセットされた車両用シート１について、フレームの構成を示す正面図である。
【図４】図２の車両用シート１の支持脚６Ｂ及びリンク部材７の近傍を拡大して示す側面図である。
【図５】図３の車両用シート１の支持脚６Ｂの近傍を拡大して示す正面図である。
【図６】着座位置からチップアップされた状態に至る途中の状態における車両用シート１について、フレームの構成を示す側面図である。
【図７】チップアップされた状態の車両用シート１について、フレームの構成を示す側面図である。
【図８】車両用シート１について、着座位置にセットされた状態（実線）、チップアップした状態（一点鎖線）及びダイブダウンした状態（一点鎖線）の各状態におけるフレームの構成を示す側面図である。
【図９】着座位置にセットされた車両用シート１について、支持脚６が脚保持部材８に保持された状態を示す斜視図である。
【図１０】脚保持部材８の近傍を拡大して示す側面図である。
【発明を実施するための形態】
【０００９】
以下、本発明に係る実施例を説明する。以下の説明では、前後方向は車両の前後方向を、幅方向は車両又は車両用シートの幅方向（両者とも同じ方向）を、左右方向は車両の前方を向いた状態（車両用シートに腰掛けた状態）における左右方向を、上下方向は車両を水平に配置した状態における鉛直方向を意味する。なお、左右方向は車両又は車両用シートの幅方向と同じ方向である。また、図中の記号Ｆは矢印方向が車両の前方であることを、記号Ｒは矢印方向が車両の後方であることを示す。また記号ｒは矢印方向が車両の右方向であることを、記号ｌは矢印方向が車両の左方向であることを示す。
【００１０】
また車両用シート１が、人が着座可能な状態に設定（セット）されている場合に、着座位置に設定（セット）された状態と呼んで説明する。
【００１１】
以下、図面を参照しながら、本発明に係る車両用シート１の一実施例を説明する。
【００１２】
図１は、本発明の一実施例に係る車両用シート１について、着座位置にセットされた状態、チップアップした状態及びダイブダウンした状態を示す側面図である。
【００１３】
図１に示すように、車両用シート１は、人が着座するシートクッション２と、シートクッション２の後端部に立設されたシートバック３と、シートバック３の上端部に設けられたヘッドレスト４とを備えている。また、車両用シート１は、支持ベース部５により、車両の床（車床）に固定されている。支持ベース部５はスライド機構を備え、シートクッション２、シートバック３及びヘッドレスト４は一体で車両の前後方向にスライドすることができる。
【００１４】
シートクッション２は、前部を後部に対して上位に位置するように跳ね上げてチップアップすることができる。図１では、チップアップした状態のシートクッションを一点鎖線２’で示す。
【００１５】
シートクッション２は、チップアップした状態２’から、シートバック３及びヘッドレスト４と一体で、ダイブダウンした状態に移行することができる。図１では、ダイブダウンした状態のシートクッション、シートバック及びヘッドレストを一点鎖線２”  、３”  及び４”  で示す。
【００１６】
シートクッション２及びシートバック３が着座位置にセットされた状態（図１の実線２で示す状態）から、一点鎖線２”  、３”  及び４”  で示すダイブダウンした状態に移行することも可能である。この場合、シートバック３の前倒れに連動させてシートクッション２及びシートバック３を車床面１００Ａよりも低い低段の車床面（収納部）１００Ｂに下降させて低段の車床面１００Ｂに収納する。車両用シート１がダイブダウンした状態では、前倒させたシートバック３（３”  ）の背面を荷物の積載面として利用することができる。なお本実施例のように、ダイブダウン可能な車両用シート１をダイブダウンシートと呼ぶ場合もある。
【００１７】
次に、図２乃至図５を参照して、車両シート１のフレーム構造を説明する。図２は、着座位置にセットされた車両用シート１について、フレームの構成を示す側面図である。図３は、着座位置にセットされた車両用シート１について、フレームの構成を示す正面図である。図４は、図２の車両用シート１の支持脚６Ｂ及びリンク部材７の近傍を拡大して示す側面図である。図５は、図３の車両用シート１の支持脚６Ｂの近傍を拡大して示す正面図である。
【００１８】
車両用シート１では、シートクッション２、シートバック３及びヘッドレスト４の各フレーム材を覆うようにクッション材やカバー部材が設けられる。図２乃至図９に示すフレーム構成は、シートクッション２、シートバック３及びヘッドレスト４からクッション材やカバー部材を除いた状態を示している。なお図１では、シートクッション２、シートバック３及びヘッドレスト４にクッション材やカバー部材が設けられた状態を示している。
【００１９】
シートクッション２のシートクッションフレーム１１は、パイプ材で形成されている。シートクッションフレーム１１は、シートクッション２が着座位置にセットされた状態で、シートクッション２の前部で左右方向に延設される前縁部１１Ａと、前縁部１１Ａの両端部から後方に延設された側縁部１１Ｂとを有する。側縁部１１Ｂは、前縁部１１Ａの右側の端部から後方に延設された右側の側縁部１１Ｂ１（図３参照）と、前縁部１１Ａの左側の端部から後方に延設された左側の側縁部１１Ｂ２（図２，３参照）とを有する。
【００２０】
シートクッションフレーム１１の側縁部１１Ｂの後端部には、ヒンジ部１２が連結され固定されている。ヒンジ部１２は、シートクッションフレーム１１の右側の側縁部１１Ｂ１に設けられた右側ヒンジ部１２Ａ（図３参照）と、シートクッションフレーム１１の左側の側縁部１１Ｂ２に設けられた左側ヒンジ部１２Ｂ（図２，３参照）とを有する。ヒンジ部１２は、折り曲げ加工を施された板材で形成されている。ヒンジ部１２はシートクッション２のフレームの一部を構成する部材と見なしてもよい。
【００２１】
シートバック３のシートバックフレーム１３は、パイプ材で形成されている。シートバックフレーム１３は、シートバック３が着座位置にセットされた状態で、上部で左右方向に延設される上縁部１３Ａと、上縁部１３Ａの両端部から下方に延設される側縁部（垂下部）１３Ｂとを有する。側縁部１３Ｂは、上縁部１３Ａの右側の端部から下方に延設された右側側縁部１３Ｂ１（図３参照）と、上縁部１３Ａの左側の端部から下方に延設された左側側縁部１３Ｂ２（図２，３参照）とを有する。
【００２２】
シートバックフレーム１３の側縁部１３Ｂの下端部には、ヒンジ部１４が連結され固定されている。ヒンジ部１４は、シートバックフレーム１３の右側の側縁部１３Ｂ１に設けられた右側ヒンジ部１４Ａ（図３参照）と、シートバックフレーム１３の左側の側縁部１３Ｂ２に設けられた左側ヒンジ部１４Ｂ（図２，３参照）とを有する。ヒンジ部１４は、折り曲げ加工を施された板材で形成されている。ヒンジ部１４はシートバック３のフレームの一部を構成する部材と見なしてもよい。
【００２３】
シートクッションフレーム１１及びヒンジ部１２は、シートバックフレーム１３及びヒンジ部１４に対して、回転軸１５を中心として回動可能に連結されている。これにより、シートクッション２はチップアップ動作が可能に構成される。
【００２４】
シートクッション２のヒンジ部１２には、支持脚６（６Ａ，６Ｂ，６Ｃ）が連結されている。支持脚６の立設部６Ａ，６Ｂは、シートクッション２が着座位置にセットされた状態において、上下方向に延設されるように設けられる。立設部６Ａの下端部と立設部６Ｂの下端部とには、左右方向に延設された連結部材６Ｃが連結されている。
【００２５】
立設部６Ａの上端部は、シートクッション２の右側ヒンジ部１２Ａに連結されている。立設部６Ｂの上端部は、シートクッション２の左側ヒンジ部１２Ｂに連結されている。立設部６Ｂは、図２の符号１６で示す位置に設けられた回転軸を中心として、左側ヒンジ部１２Ｂに対して回動可能に連結されている。また立設部６Ａは、右側ヒンジ部１２Ａ上において、左側ヒンジ部１２Ｂの回転軸１６に対応する位置に設けられた回転軸を中心として、右側ヒンジ部１２Ａに対して回動可能に連結されている。
【００２６】
連結部材６Ｃはパイプ材で形成されており、中央部が大径を成し、その両端部に中央部よりも小径の小径部６Ｃａ，６Ｃｂが設けられている。立設部６Ａ，６Ｂは、板状部材で構成され、連結部材６Ｃの小径部６Ｃａ，６Ｃｂが貫通する開口部が設けられている。水平部６Ｂの小径部６Ｃａ，６Ｃｂは立設部６Ａ，６Ｂを貫通して、立設部６Ａ，６Ｂの外側に突出している。
【００２７】
立設部６Ｂの外側に突出した連結部材６Ｃの小径部６Ｃｂには、リンク部材７の一端部が連結されている。リンク部材７は、小径部６Ｃｂを回転軸（回転中心と）として、支持脚６に対して回動可能に構成されている。またリンク部材７の他端部は、支持ベース部５に対して位置が固定された回転軸１７に連結され、リンク部材７は回転軸１７を中心として支持ベース部５に対して回動可能に構成されている。回転軸１７は小径部６Ｃｂよりも後方に位置し、かつ上方に位置する。
【００２８】
シートバック３の左側ヒンジ部１４Ｂと、支持脚６の立設部６Ｂと、リンク部材７とは、車両用シート１の内方から外方に向けて、この順番に配置されている。また、立設部６Ｂの回転軸１６は、左側ヒンジ部１４Ｂの内側に設けられている。この構成により、左側ヒンジ部１４Ｂと立設部６Ｂとリンク部材７とは、相互に干渉することなく回動できると共に、各部品をコンパクトに配置することができる。
【００２９】
本実施例では、リンク部材７の回転軸を連結部材６Ｃの小径部６Ｃｂで構成することにより、部品点数を減らすことができると共に、簡素な構成を実現することができる。
【００３０】
シートバック３のシートバックフレーム１３の上端部には、ヘッドレスト４のヘッドレストフレーム２３Ａ，２３Ｂが取り付けられている。
【００３１】
支持ベース部５は、ロアレール１８Ａとアッパレール１８Ｂとを有するスライドレール装置１８を備える。ロアレール１８Ａは車床１００Ａに固定されている。アッパレール１８Ｂはロアレール１８Ａに対して前後方向にスライド可能に構成されている。スライドレール装置１８は、車両用シート１を前後方向にスライドさせるためのスライド機構である。
【００３２】
スライドレール装置１８は、車両用シート１の左右側部に一つずつ配置されている。左右のスライドレール装置１８のうち、車両室内において内寄りに配置される方のスライドレール装置１８をインナースライドレール装置１８と呼び、車両室内において外寄りに配置される方のスライドレール装置１８をアウタースライドレール装置１８と呼ぶ場合もある。
【００３３】
スライドレール装置１８のアッパレール１８Ｂには、シートライザー１９が取り付けられている。シートライザー１９はベース部５の一部であり、板状の金属部材を折り曲げ加工して形成される。シートライザー１９は、チップアップ機能やダイブダウン機能を有する車両用シート１を保持或いは支持するための保持部材（支持部材）であり、シートライザー１９の上部にシートバック３が取り付けられる。本実施例では、シートバック３のヒンジ部１４の下端部が回転軸１７に連結され、シートバック３のシートバックフレーム１３及びヒンジ部１４が回転軸１７を中心としてシートライザー１９に対して回動可能に取り付けられている。
【００３４】
回転軸１７はシートライザー１９に対して位置が固定されている。回転軸１７はリンク部材７の他端部が連結される回転軸であり、リンク部材７の連結部とシートバック３のヒンジ部１４の連結部とを兼ねている。複数の回動部材の回転中心を一つの回転軸に集約することにより、簡素な構造を実現することができる。
【００３５】
支持ベース部５のスライドレール装置１８やシートライザー１９等は、樹脂製のカバー２０（図１参照）によって覆われている。
【００３６】
スライドレール装置１８のロアレール１８Ａの前部は、取付具２１Ａ，２１Ｂにより、車床１００Ｂに固定されている。取付具２１Ａは右側のスライドレール装置１８を車床１００Ｂに固定し、取付具２１Ｂは左側のスライドレール装置１８を車床１００Ｂに固定する。
【００３７】
スライドレール装置１８のアッパレール１８Ｂには、支持脚６を着脱可能に固定する脚保持部材（キャッチャー）８が取り付けられている。シートクッション２が着座位置に設定された状態では、支持脚６の連結部材６Ｃは脚保持部材８に係合している。
【００３８】
次に、図６乃至図８を参照して、車両用シート１のチップアップ動作及びダイブダウン動作について説明する。
【００３９】
図６は、着座位置からチップアップされた状態に至る途中の状態における車両用シート１について、フレームの構成を示す側面図である。図７は、チップアップされた状態の車両用シート１について、フレームの構成を示す側面図である。図８は、車両用シート１について、着座位置にセットされた状態（実線）、チップアップした状態（一点鎖線）及びダイブダウンした状態（一点鎖線）の各状態におけるフレームの構成を示す側面図である。
【００４０】
図６に示す状態は、図２に示す状態（着座位置）から、シートクッションフレーム１１（シートクッション３）の前部を持ち上げて後部（回転軸１５への連結部）に対して上位に位置するように、シートクッション３をチップアップ動作させる途中の状態を示している。シートクッション３の前部を持ち上げることにより、支持脚６の連結部材６Ｃは脚保持部材８から離脱している。
【００４１】
また支持脚６の立設部６Ａ，６Ｂは、連結部材６Ｃの小径部６Ｃｂにリンク部材７が連結されているため、回転軸１６を中心として回動し、シートクッションフレーム１１に対する姿勢が変化する。すなわち、連結部材６Ｃがシートクッションフレーム１１に近づき、立設部６Ａ，６Ｂがシートクッションフレーム１１に沿うように姿勢を変化させる。
【００４２】
このとき、リンク部材７は回転軸１７を中心として回動し、立設部６Ｂとリンク部材７とは小径部６Ｃｂを中心として相互に回動して相対変位する。
【００４３】
図７に示す状態は、チップアップ動作が完了した状態である。チップアップ動作が完了した状態では、シートクッションフレーム１１とシートバックフレーム１３とが略平行となり、シートクッション２の座面とシートバック３の前面とが対向して当接した状態となる。
【００４４】
またチップアップ動作が完了した状態では、支持脚６の立設部６Ａ，６Ｂはシートクッションフレーム１１に沿うように、回転軸１６との連結部を上側に、連結部材６Ｃとの連結部を下側にして、長手方向がほぼ上下方向（鉛直方向）に配置された姿勢となる。このときリンク部材７は、連結部材６Ｃとの連結部を上側に、回転軸１７との連結部を下側にして、長手方向がほぼ上下方向（鉛直方向）に配置された姿勢となる。
【００４５】
図７の平面図においては、立設部６Ａ，６Ｂの一方（シートクッションフレーム１１側）の側縁部がシートクッションフレーム１１と重複する位置にある。すなわち車両用シート１を側方から見た場合に、立設部６Ａ，６Ｂの一方（シートクッションフレーム１１側）の側縁部はシートクッションフレーム１１と重複する位置にある。このとき支持脚６の立設部６Ａ，６Ｂは、シートクッションフレーム１１に対して立設された状態（図２の状態）から、シートクッションの下面に形成された収納スペースに収納された状態（図７の状態）となる。
【００４６】
リンク部材７はシートクッション３のチップアップ動作に連動して支持脚６の立設部６Ａ，６Ｂを収納状態に遷移させるための部材であり、左右の立設部６Ａ，６Ｂのうちいずれか一方の側に設けられていればよい。
【００４７】
図８では、チップアップした状態のシートクッションフレーム１１（シートクッション２）、支持脚３の立設部６Ｂ及びリンク部材７をそれぞれ符号１１’（２’）、６Ｂ’及び７’で、またダイブダウンした状態のシートクッションフレーム１１（シートクッション２）、シートバックフレーム１３（シートバック３）、支持脚３の立設部６Ｂ及びリンク部材７をそれぞれ符号１１”  （２”  ）、１３”  （３”  ）、６Ｂ”  及び７”  で示す。
【００４８】
ダイブダウンを完了した状態のシートクッションフレーム１１”  （シートクッション２”  ）、支持脚３の立設部６Ｂ”  及びリンク部材７”  は、チップアップを完了した状態のシートクッションフレーム１１’（シートクッション２’）と支持脚３の立設部６Ｂ’とリンク部材７’との相対位置関係を維持している。そして支持脚６の連結部材６Ｃは、脚保持部材８に係合され、シートライザー１９に対する相対位置が固定されている。
【００４９】
本実施例では、シートクッション２のチップアップ動作に連動して、支持脚６がシートクッション２の下面に形成された収納スペースに自動で収納される。このため、チップアップ動作後に支持脚６を収納する操作が不要になる。
【００５０】
また、シートクッション２をチップアップした状態から着座位置に戻す場合には、収納スペースに収納された支持脚６は自動で展開され、シートクッション２の下面に立設された状態に復帰する。或いは、シートクッション２及びシートバック３がダイブダウンした状態から着座位置に戻される場合にも、支持脚６は自動で展開される。このため、車両用シート１をチップアップ状態或いはダイブダウン状態から着座位置に戻す場合に、支持脚６を展開する操作が不要になる。
【００５１】
本実施例では、支持脚６を収納或いは展開する操作が不要になり、シートアレンジを変える際の操作回数を低減することができる。これにより、操作性の良い車両用シート１を提供することができる。
【００５２】
次に、図９及び図１０を参照して、脚保持部材８について説明する。図９は、着座位置にセットされた車両用シート１について、支持脚６が脚保持部材８に保持された状態を示す斜視図である。図１０は、脚保持部材８の近傍を拡大して示す側面図である。なお、図９では、左側のシートライザー１９の一部（前部）を切り欠いて、脚保持部材８を示している。
【００５３】
本実施例では、脚保持部材８は左右のシートライザー１９にそれぞれ一つずつ設けられている。
【００５４】
図９に示すように、アッパレール１８Ｂにシートライザー１９が取り付けられており、脚保持部材８はシートライザー１９に固定されている。すなわち、脚保持部材８はシートライザー１９を介してアッパレール１８Ｂに固定されている。
【００５５】
脚保持部材８は、板状の金属を折り曲げることで形成される。脚保持部材８は、図１０に示すように、断面がギリシャ文字のΩのような形状をしている。脚保持部材８は、支持脚６の連結部材６Ｃを受容する受容部８Ａと、受容部８Ａに対して連結部材６Ｃを挿入もしくは引き抜くための抜き差し口８Ｂと、支持脚６の連結部材６Ｃを受容部８Ａに挿入する際に連結部材６Ｃを抜き差し口８Ｂに案内する受け片８Ｃ，８Ｄとを有する。
【００５６】
脚保持部材８は、受容部８Ａを下側に、抜き差し口８Ｂを上側にして、シートライザー１９上に固定されている。抜き差し口８Ｂの幅寸法は連結部材６Ｃの直径よりも小さい。脚保持部材８は、板状の金属を折り曲げることで形成されており、弾性変形可能な部材である。受容部８Ａに対して連結部材６Ｃを挿入もしくは引き抜く際には、脚保持部材８は抜き差し口８Ｂの幅寸法を拡大するように弾性変形し、連結部材６Ｃが受容部８Ａに受容された後は元の形状（抜き差し口８Ｂの幅寸法）に戻る。
【００５７】
脚保持部材８は車両用シート１に人が着座した時に大きな荷重を受ける。従って、脚保持部材８を支持する部材にも高い剛性と大きな強度とが求められる。アッパレール１８Ｂを有するスライドレール装置１８及びシートライザー１９は、人が着座した時の荷重を受けるために高い剛性と大きな強度とを備えている。本実施例では、脚保持部材８の支持部材としてスライドレール装置１８及びシートライザー１９を利用しているので、脚保持部材８の支持部材に高い剛性と大きな強度とが確保されている。
【００５８】
脚保持部材８の支持強度及び剛性を高めるため、脚保持部材８はスライドレール装置１８のアッパレール１８Ｂに対して、鉛直方向上方に位置するように配設されている。図５に示すように、脚保持部材８は、その下面８Ａがシートライザー１９を介してアッパレール１８Ｂの上面１８Ｂ１と対向するように配設されている。すなわち、脚保持部材８の下面８Ａと板状のシートライザー１９の板面１９Ａ，１９Ｂとアッパレール１８Ｂの上面１８Ｂ１とが平行に配設され、脚保持部材８の下面８Ａと板状のシートライザー１９の一方の板面（上面）１９Ａとが面で接触し、シートライザー１９の他方の板面（下面）１９Ｂとアッパレール１８Ｂの上面１８Ｂ１とが面で接触している。
【００５９】
さらに脚保持部材８は、アッパレール１８Ｂの前端部と後端部の間に配設されている。特に本実施例では、脚保持部材８は、アッパレール１８Ｂの後端部よりも前端部の近傍に配設されている。
【００６０】
また、脚保持部材８の支持部材としてスライドレール装置１８及びシートライザー１９を利用しているので、高い剛性と大きな強度とを有する支持部材を別に設ける必要がなく、簡素の構造を実現できる。
【００６１】
また、脚保持部材８がスライドレール装置１８及びシートライザー１９上に配置されているため、左右のスライドレール装置１８の間に脚保持部材８やその支持部材を配置する必要がない。このため、左右のスライドレール装置１８の間のスペースを荷物置き用スペースとして、有効に利用することができる。
【００６２】
本実施例では、脚保持部材８は左右のシートライザー１９（又はスライドレール装置１８）にそれぞれ一つずつ設けられており、合わせて二つの脚保持部材８が設けられている。左右のいずれか一方に配置した一つの脚保持部材８で必要な強度を確保できる場合は、脚保持部材８を一つだけ設ける構成であってもよい。
【００６３】
本実施例では、脚保持部材８がシートライザー１９（又はスライドレール装置１８）に配設される構成であるため、脚保持部材８は支持脚６の連結部材６Ｃを左右方向の片寄った位置で保持する。このため、脚保持部材８を一つだけ設ける場合には、脚保持部材８が支持脚６を支持する強度を高める必要がある。一方、脚保持部材８を二つ設ける場合には、一つの脚保持部材８が支持脚６を支持する強度を低くすることができる。
【符号の説明】
【００６４】
１…車両用シート、２，２’ ， ２”  …シートクッション、３，３”  …シートバック、４，４”  …ヘッドレスト、５…支持ベース部、６…支持脚、６Ａ…支持脚６の右側立設部、６Ｂ，６Ｂ’，６Ｂ”  …支持脚６の左側立設部、６Ｃ…支持脚６の連結部材、１６…回転軸、６Ｃａ，６Ｃｂ…連結部材６Ｃの小径部、７，７’，７”  …リンク部材、８…脚保持部材（キャッチャー）、８Ａ…受容部、８Ｂ…抜き差し口、８Ｃ，８Ｄ…受け片、１１，１１’，１１”  …シートクッションフレーム、１１Ａ…シートクッションフレーム１１の前縁部、１１Ｂ…シートクッションフレーム１１の側縁部、１１Ｂ１…右側の側縁部、１１Ｂ２…左側の側縁部、１２…シートクッション２のヒンジ部、１２Ａ…右側ヒンジ部、１２Ｂ…左側ヒンジ部、１３，１３”  …シートバックフレーム、１３Ａ…シートバックフレーム１３の上縁部、１３Ｂ…シートバックフレーム１３の側縁部（垂下部）、１３Ｂ１…右側側縁部、１３Ｂ２…左側側縁部、１４…シートバック３のヒンジ部、１４Ａ…右側ヒンジ部、１４Ｂ…左側ヒンジ部、１５…回転軸、１６…回転軸、１７…回転軸、１８…スライドレール装置（スライド機構）、１８Ａ…ロアレール、１８Ｂ…アッパレール、１８…スライドレール装置、１９…シートライザー、２０…樹脂製のカバー、２１Ａ，２１Ｂ…取付具、２３Ａ，２３Ｂ…ヘッドレストフレーム、１００Ａ…車床面、１００Ｂ…低段の車床面（収納部）。
【図１】
0006554371.tif 000002
【図２】
0006554371.tif 000003
【図３】
0006554371.tif 000004
【図４】
0006554371.tif 000005
【図５】
0006554371.tif 000006
【図６】
0006554371.tif 000007
【図７】
0006554371.tif 000008
【図８】
0006554371.tif 000009
【図９】
0006554371.tif 000010
【図１０】
0006554371.tif 000011